(57)【特許請求の範囲】
【請求項１】
立設姿勢で接離可能に対向配置された第１脚体（２）と第２脚体（３）と、第１部材（６）と第２部材（７）を相対回動自在に連結して折曲姿勢と展延姿勢の間で姿勢変更可能とされ上記第１脚体（２）と第２脚体（３）とを連結する連結体（５）と、
上記連結体（５）の上記第１部材（６）と第２部材（７）の連結部に取り付けられた第３脚体（４）と、上記連結体（５）に支持された座板（１）とを備え、
上記連結体（５）の展延姿勢では上記第１脚体（２）と第２脚体（３）と第３脚体（４）とが離間対向し且つ上記座板（１）が横方向に延出する使用時姿勢に設定される一方、
上記連結体（５）の折曲姿勢では上記第１脚体（２）と第２脚体（３）と第３脚体（４）とが近接対向し且つ上記座板（１）が上下方向に立設する収納時姿勢に設定されるように構成したことを特徴とする椅子。
【請求項２】
請求項１において、
上記座板（１）が、上記連結体（５）に沿って上記第１脚体（２）と第２脚体（３）の接離方向へ移動可能とされていることを特徴とする椅子。
【請求項３】
請求項１において、
上記座板（１）が、その平面方向に沿って回転可能とされるとともに、所要の回転位置で固定可能とされていることを特徴とする椅子。
【請求項４】
請求項１において、
上記第１脚体（２）と第２脚体（３）の何れか一方が立設姿勢で固定可能とされていることを特徴とする椅子。
【発明の詳細な説明】
【０００２】
【発明の属する技術分野】
【０００３】
本願発明は、使用上における利便性に優れた椅子に関するものである。
【従来の技術】
【０００４】
一般家庭内を含む我々の生活環境内には、用途に応じて様々な形態及び機能をもつ椅子が用意され、日常の生活において使用されているが、その中でも、特に浴室用の椅子は、使用スペースが狭いこと、使用姿勢等からして座面高さが低く且つ座面の広さも小さい方が使い勝手が良いこと、使用する時間が短いので着座する機能さえもてば十分であること、等の理由から、テーブル用椅子等の一般的な椅子に比して、小形で且つ構造も極めて簡単なものであることが多い。
【発明が解決しようとする課題】
【０００５】
ところが、高齢者とか障害者等の身体的弱者にとっては、機能面のみを重視した従来構造の浴室用椅子は、必ずしも使用し易いものではなく、時として苦痛すら与えかねないものである。例えば、狭い洗い場に椅子が置かれていると、いかに椅子が小形であるとはいっても、浴室への出入り、あるいは浴槽への出入りに際して邪魔となり、特に歩行難をもつものにとっては好ましいものではない。また、椅子に座って洗髪等を行うに際しても、健常者であれば何ら苦痛を感じない動作、例えば前後方向へ体を移動したい場合とか、体の向きを変えたいような場合でも、椅子が着座機能しかもたないものであることから、この動作を行うことが難しく且つ時間もかかることになり、好ましくないものである。
【０００６】
そこで本願発明は、使用上における利便性に優れ、特に浴室用椅子として用いるに好適な椅子を提供することを目的としてなされたものである。
【課題を解決するための手段】
【０００７】
本願発明ではかかる課題を解決するための具体的手段として次のような構成を採用している。
【０００８】
本願の第１の発明に係る椅子では、立設姿勢で接離可能に対向配置された第１脚体２と第２脚体３と、第１部材６と第２部材７を相対回動自在に連結して折曲姿勢と展延姿勢の間で姿勢変更可能とされ上記第１脚体２と第２脚体３とを連結する連結体５と、上記連結体５の上記第１部材６と第２部材７の連結部に取り付けられた第３脚体４と、上記連結体５に支持された座板１とを備え、上記連結体５の展延姿勢では上記第１脚体２と第２脚体３と第３脚体４とが離間対向し且つ上記座板１が横方向に延出する使用時姿勢に設定される一方、上記連結体５の折曲姿勢では上記第１脚体２と第２脚体３と第３脚体４とが近接対向し且つ上記座板１が上下方向に立設する収納時姿勢に設定されるように構成したことを特徴としている。
【０００９】
本願の第２の発明では、上記第１の発明に係る椅子において、上記座板１を、上記連結体５に沿って上記第１脚体２と第２脚体３の接離方向へ移動可能としたことを特徴としている。
【００１０】
本願の第３の発明では、上記第１の発明に係る椅子において、上記座板１を、その平面方向に沿って回転可能とするとともに、所要の回転位置で固定可能としたことを特徴としている。
【００１１】
本願の第４の発明では、上記第１の発明に係る椅子において、上記第１脚体２と第２脚体３の何れか一方を立設姿勢で固定可能としたことを特徴としている。
【発明の効果】
【００１２】
本願発明ではかかる構成とすることにより次のような効果が得られる。
【００１３】
（イ）本願の第１の発明に係る椅子によれば、上記連結体５の展延と折曲によって、上記第１脚体２と第２脚体３と第３脚体４とが離間対向し且つ上記座板１が横方向に延出する使用時姿勢と、上記第１脚体２と第２脚体３と第３脚体４とが近接対向し且つ上記座板１が上下方向に立設する収納時姿勢とを選択できることから、例えば従来の椅子のように、使用時も非使用時も同じ形態を維持する構成のものに比して、非使用時における椅子の占有スペースの狭小化が促進される。
【００１４】
従って、椅子をその設置スペースが狭く限られたような場所において用いるような場合には、その利便性が高く、特に、浴室のように、スペースが狭く、しかも該スペースが人の移動スペースともなるような場所に設置される椅子で、且つこれが高齢者等の身体的弱者の使用に供されるような場合には、椅子を収納時姿勢とすることで移動用のスペースが拡大されることから、移動時の安全性も確保されるなど、その効果はより一層顕著となるものである。
【００１５】
また、上記椅子の使用時姿勢と収納時姿勢との間での姿勢変更が、上記連結体５の展延操作あるいは折曲操作という簡単且つ容易な操作によって行えることから、その操作性あるいは取扱性が良好であり、特にその使用者が高齢者等の身体的弱者である場合に好適である。
【００１６】
（ロ）  本願の第２の発明に係る椅子によれば、上記（イ）に記載の効果に加えて次のような特有の効果が得られる。即ち、この発明では、上記座板１を、上記連結体５に沿って上記第１脚体２と第２脚体３の接離方向へ移動可能としているので、例えば、上記座板１に着座したまま該座板１を移動させることで、椅子そのものの位置を変更することなく、該椅子に対する体の相対位置を変更させることができ、使用上の利便性がさらに向上することになる。
【００１７】
（ハ）  本願の第３の発明に係る椅子によれば、上記（イ）に記載の効果に加えて次のような特有の効果が得られる。即ち、この発明では、上記座板１を、その平面方向に沿って回転可能とするとともに、所要の回転位置で固定可能としているので、例えば、上記座板１に着座したまま該座板１を回転させることで、椅子そのものの方向を変更することなく、該椅子に対する体の向きを変更させることができ、使用上の利便性がさらに向上することになる。
【００１８】
（ニ）  本願の第４の発明に係る椅子によれば、上記（イ）に記載の効果に加えて次のような特有の効果が得られる。即ち、この発明では、上記第１脚体２と第２脚体３の何れか一方を立設姿勢で固定可能としているので、例えば、上記第１脚体２を固定した状態では、該第１脚体２に対して上記第２脚体３を接離方向に移動させることで、椅子の姿勢を使用時姿勢と収納時姿勢との間で容易に変更することができ、その操作性の向上が期待できる。
【発明の実施の形態】
【００１９】
以下、本願発明を好適な実施形態に基づいて具体的に説明する。
【００２０】
図１には本願発明にかかる椅子Ｚの部材構成を示し、また図２には椅子Ｚの使用時姿勢を、さらに図４には椅子Ｚの収納時姿勢を、それぞれ示している。
【００２１】
この実施形態の椅子Ｚは、主として浴室での使用に供される椅子であって、図１に示すように、座板１と、対向配置される第１脚体２と第２脚体３と、該第１脚体２と第２脚体３とを連結する展延・折曲自在の連結体５と、該連結体５の中間位置を上記第１脚体２と第２脚体３の中間位置において支持する第３脚体４と、上記座板１と上記連結体５の間に配置されて該座板１を連結体５側に支持させるスライド体８とを備える。
【００２２】
上記座板１は、所定大きさをもつ略矩形の樹脂製板材で一体形成され、その中央部は座部１ａとされている。さらに、座板１の左右両縁部には前後方向に伸びる長穴２１が形成されるとともに、該長穴２１の外側部位は把持部１ｂとされている。この把持部１ｂは、例えば、上記座板１を前後移動させたり回転させたりする場合の操作部とか、上記座部１ａへの着座時あるいは離座時における身体支持部等として利用されるものである。さらに、上記座部１ａには、意匠的効果をもつ水抜孔２２，２２，・・が形成されている。また、座板１の下面側には、回転位置規制のためのストッパー１３が装着されるブラケット２３が設けられている。尚、上記座部１ａの略中心位置の下面側には、図示しないネジ受け孔が設けられ、該ネジ受け孔には後述の固定部材１２が螺着される。
【００２３】
上記第１脚体２は、上記椅子Ｚの後部側を支持するものであって、幅広矩形で且つ上記第１脚体２と同一の高さ寸法をもつ樹脂製板材で構成され、その上端の左右両側にはそれぞれ支持部２５，２５が設けられるとともに、該各支持部２５，２５の間には後述する第３脚体４の収納用の凹部２６が設けられている。また、この実施形態においては、この第１脚体２を浴室の壁面５２に固定し得るようにしており、そのために、該第１脚体２の背面側には吸盤２７，２７，・・を所定間隔で適数個（この実施形態では４個）取り付けている。さらに、上記第１脚体２の下端面の左右両側位置にはアジャスター２８，２８が備えられている。
【００２４】
上記第２脚体３は、上記椅子Ｚの前部側を支持するものであって、上記第１脚体２よりも狭幅の矩形の樹脂製板材で構成され、その上端の左右両側にはそれぞれ支持部３１，３１が設けられるとともに、該各支持部３１，３１の間には後述する第３脚体４の収納用の凹部３２が設けられている。また、上記第２脚体３の下端面の左右両側位置にはアジャスター２９，２９が備えられている。
【００２５】
上記第３脚体４は、上記第１脚体２と第２脚体３の中間位置において次述の連結体５の中央部を支持するものであって、上記第１脚体２の凹部２６及び上記第２脚体３の上記凹部３２に収容可能な幅寸法と、該第１脚体２と第２脚体３と同一の高さ寸法をもつ矩形の樹脂製板材で構成され、その上端の左右両側にはそれぞれ支持部３５，３５が設けられている。また、上記第３脚体４の下端面の左右両側位置にはアジャスター３０，３０が備えられている。
【００２６】
上記連結体５は、上記第１脚体２と上記第２脚体３とをその上端部において連結し、且つこれら両者の接離方向への移動に伴う間隔の変化を許容するとともに、上記座板１を次述のスライド体８を介して支持するものであって、第１部材６と第２部材７とで構成される。
【００２７】
上記第１部材６は、略矩形の樹脂製板材で構成されるもので、その一端６ａ側の左右両端には支持部４１，４１が設けられている。また、この第１部材６の他端６ｂ側には、その幅方向中央部を該他端６ｂ側から一端６ａ側に向かって延びる切欠溝４３と、該切欠溝４３の幅方向両側方に位置する左右一対の連結部４２，４２とが設けられている。尚、この連結部４２，４２は、次述の第２部材７の連結部４５，４５に連結されて上記第１部材６と第２部材７とを二枚合わせ状態に折曲した姿勢（図４及び図５を参照）と該第１部材６と第２部材７とが同一平面状に展延した姿勢（図２及び図３を参照）との間で姿勢変更されるのを許容するもので、その軸孔位置は、上記第２部材７の他端７ｂ側の端面から所定寸法だけ前方へ、またその裏面から所定寸法だけ下方へ、それぞれ延出した位置に設定されている。
【００２８】
上記第２部材７は、上記第１部材６と同様に、略矩形の樹脂製板材で構成され、その一端７ａ側の左右両端には支持部４４，４４が設けられている。また、この第２部材７の他端７ｂ側には、その幅方向中央部を該他端７ｂ側から一端７ａ側に向かって延びる切欠溝４６と、該切欠溝４６の幅方向両側方に位置する左右一対の連結部４５，４５とが設けられている。尚、この連結部４５，４５も、上記第１部材６の連結部４２と同様に、その他端７ｂから斜め前方へオフセットした位置に軸孔位置が設定されている。また、上記第２部材７の切欠溝４６と上記第１部材６の切欠溝４３とは、該連結体５が展延姿勢に設定された状態ではその開口端側を衝合させた状態で連続して該第１部材６の略中央部から上記第２部材７の略中央部に延びる連続したガイド溝４７を構成する。
【００２９】
上記第１部材６と第２部材７と上記第３脚体４とは、該第１部材６の連結部４２と該第２部材７の連結部４５と該第３脚体４の支持部３５とを同軸上に位置させ且つこれら三者間に跨がって連結軸（図示省略）を挿通することで相互に連結される。この連結軸による連結状態においては、上記第１部材６と第２部材７とは該連結軸を中心に相対回動自在とされ、上述のようにこれら両者が折曲姿勢と展延姿勢とを選択的にとるのが許容される。また、上記第３脚体４は、上記第１部材６と第２部材７とに対して相対変位自在とされ、該第１部材６と第２部材７の姿勢変更に伴って上下方向へ平行移動されるものである（図３及び図５を参照）。
【００３０】
また一方、上記第１部材６の一端６ａ側は、その支持部４１，４１を上記第１脚体２の支持部２５，２５と同軸上に位置させ且つこれら両者間に連結軸（図示省略）を挿通することで該第１脚体２の上端側に折曲自在に連結される。また、上記第２部材７の他端７ｂも、上記第１部材６側と同様に、その支持部４４，４４を上記第２脚体３の支持部３１，３１と同軸上に位置させ且つこれら両者間に連結軸（図示省略）を挿通することで該第２脚体３の上端側に折曲自在に連結される。この結果、上記第１脚体２と第２脚体３は、上記連結体５によって対向状態で連結されるとともに、その接離方向への相対移動が上記連結体５の第１部材６と第２部材７との折曲又は展延によって許容されるものである。
【００３１】
さらに、上記第３脚体４と上記第１脚体２とは第１リンク１５によってその高さ方向の中段位置で連結され、また上記第３脚体４と上記第２脚体３とは第２リンク１６によってその高さ方向の中段位置で連結されており、該第３脚体４は、これら各リンク１５，１６と上記連結体５の第１部材６と第２部材７とが該第３脚体４の両側においてそれぞれ平行リンク機構を構成することで、上記連結体５が折曲・展延し上記第１脚体２と第２脚体３が接近・離間するとき、常時、該第１脚体２及び第２脚体３と平行状態を維持したまま上下方向に移動されることになる。
【００３２】
一方、上記スライド体８は、上記連結体５の第１部材６及び第２部材７に対してその上方から鞍座状態で、且つ該連結体５の長手方向（即ち、上記第１脚体２と第２脚体３の接離方向）に移動可能に取り付けられる。また、このスライド体８の略中心位置には所定径の貫通穴１１が設けられているとともに、該貫通穴１１の径方向外側位置には短筒状のロック部材９が該貫通穴１１と同心状に取り付けられている。このロック部材９には、径方向に所定間隔で多数のロック溝１０，１０，・・が設けられている。
【００３３】
上記スライド体８は、上記ロック部材９側にその上方から上記座板１を載置し、且つ上記連結体５のガイド溝４７を通して該連結体５の下方からボルト状の固定部材１２を通し、且つこれを該座板１の裏面側の上記ネジ受け孔に螺着することで、該連結体５と該座板１との間に挟持状態で取り付けられることになる。また、上記固定部材１２は、上記連結体５のガイド溝４７内をその溝長方向に移動可能とされている。従って、上記連結体５が展延姿勢にあるときには、上記固定部材１２が上記ガイド溝４７の溝長さ方向に移動することで、上記スライド体８は上記連結体５に沿ってその長手方向に、且つ上記ガイド溝４７の溝長さの範囲内で、移動でき、これによって該スライド体８に連結された上記座板１は上記連結体５の長手方向（即ち、椅子Ｚの前後方向）に移動可能とされる。尚、上記連結体５は、上記固定部材１２を上記第２部材７の切欠溝４６側に位置させた状態で折曲姿勢に設定され、従って、上記座板１は図４に示すように上記第２脚体３の前面側にこれと平行状態で保持されることになる。
【００３４】
また、上記座板１は、上記スライド体８の貫通穴１１を通して配置された上記固定部材１２に螺着されていることから、該スライド体８上に載置された状態で上記固定部材１２を中心として回転し得るようになっている。そして、この座板１の回転位置の選択とその固定は、上記座板１側に設けた上記ブラケット２３と、上記スライド体８側の上記ロック部材９に設けた上記各ロック溝１０，１０，・・の任意のロック溝１０との間に跨がって上記ストッパー１３を挿通することで実現される。
【００３５】
以上の如き構成をもつ上記椅子Ｚは、図２に示す使用時姿勢で使用に供され、またその非使用時には図４に示す収納時姿勢で収納される。以下、この使用時姿勢と収納時姿勢での取り扱い等について説明する。
【００３６】
上記椅子Ｚは、これを浴室用椅子として使用する場合には、その使用時姿勢と収納時姿勢の何れの姿勢であっても、上記第１脚体２を上記吸盤２７，２７，・・によって立設状態で浴室の壁面５２に固定させた状態で配置される。
【００３７】
Ａ：使用時姿勢における取り扱い
上記椅子Ｚは、その使用時姿勢においては、図２及び図３（実施線図示参照）に示すように、上記壁面５２に対向状態で固定された上記第１脚体２とその前方において立設された上記第２脚体３との間に上記連結体５が展延姿勢で架設されるとともに、該連結体５の長手方向中央部（即ち、上記第１部材６と第２部材７との連結部）が上記第３脚体４によって支持され、さらにこの連結体５の上面側に上記スライド体８を介して上記座板１が、その座部１ａを略水平とした状態で配置されている。そして、この使用時姿勢においては、上記座板１は、図２に実線図示する後退位置と鎖線図示する前進位置との間で移動可能とされるとともに、その平面方向に沿って回転可能（矢印Ａ−Ｂ方向）とされている。
【００３８】
このように使用時姿勢に設定された上記椅子Ｚの使用に際し、使用者は上記座板１上に着座するが、その当初の着座状態（椅子Ｚの前後方向における位置とか該椅子Ｚに対する着座方向など）が、今から行おうとしている行為（例えば体の洗い流しとか洗髪など）にとって好適でない、というような場合もあり得る。かかる場合、使用者は上記座板１に着座したままで、該座板１を前後方向に移動させたり、あるいは該座板１を適宜回転させることで、体の前後方向の位置調整とか体の向き調整を、ほとんど労することなく容易に行うことができる。この結果、例えば、従来一般的な浴室用椅子を使用する場合のように、着座状態から腰を浮かせて体の位置調整あるいは向き調整を行う必要がある場合に比して、椅子Ｚの使用上の利便性が格段に向上するものであり、特にその使用者が高齢者等の身体的弱者であるような場合にはその効果はより一層顕著である。
【００３９】
Ｂ：収納時姿勢における取り扱い
上記椅子Ｚを使用時姿勢から収納時姿勢に姿勢変更する場合には、図３に示すように、使用時姿勢から、上記座板１を上方へ引き上げる。すると、この座板１の引き上げに伴って上記連結体５が展延姿勢から折曲され、この連結体５の姿勢変更に追従して上記第３脚体４が上方へ引き上げられるとともに上記第２脚体３が上記第１脚体２側へ移動し、最終的には図４及び図５に示すように、上記第２脚体３が上記第１脚体２に衝合し、上記連結体５の上記第１部材６と上記第２部材７とが二つ折状態に衝合し、さらに上記座板１が上記第２脚体３の外側へ衝合するように収納され、全体として上記壁面５２側に折り畳まれた状態の収納時姿勢に設定されるものである。尚、この場合、上記第１脚体２が壁面５２に固定されていることで、上記姿勢変更操作がより簡便となるものである。
【００４０】
上記椅子Ｚの収納時姿勢から使用時姿勢への姿勢変更操作は、上記操作と逆手順により行われるものであり、ここでの説明は省略する。
【００４１】
このように、この椅子Ｚにおいては、その使用時姿勢と収納時姿勢との間での姿勢変更をほとんど労力を要することなく容易且つ簡便に行えるものであり、かかる操作性は、特に高齢者等の身体的弱者にとって大きな利点である。
【００４２】
また、上記椅子Ｚはその非使用時には収納時姿勢に設定され且つ保持されるものであるが、この収納時姿勢においては、使用時姿勢に比して、その形態が非常に小さくなっている。この結果、例えば浴室への人の出入り時、あるいは浴槽への出入り時においては、上記椅子Ｚが収納時姿勢に設定されていることで人の移動スペースが十分確保され、浴室スペースの有効利用が図れるとともに移動時の安全性も確保され、特に高齢者等の身体的弱者が入浴するような場合にはその利点はより顕著となる。
【００４３】
尚、上記椅子Ｚは、上記実施形態のように浴室に設置されるものに限定されるものではなく、また、その使用場所によっては上記第１脚体２を固定せず、移動可能な椅子として利用できるものである。
【図面の簡単な説明】
【００４４】
【図１】本願発明に係る椅子の分解斜視図である。
【図２】本願発明に係る椅子の使用時姿勢を示す斜視図である。
【図３】図２のＩＩＩ−ＩＩＩ断面図である。
【図４】本願発明に係る椅子の収納時姿勢を示す斜視図である。
【図５】図４のＶ−Ｖ断面図である。
【符号の説明】
【００４５】
１は座板、２は第１脚体、３は第２脚体、４は第３脚体、５は連結体、６は第１部材、７は第２部材、８はスライド体、９はロック部材、１０はロック溝、１１は貫通穴、１２は固定部材、１３はストッパー、１５は第１リンク、１６は第２リンク、２１は長穴、２２は水抜孔、２３はブラケット、２５は支持部、２６は凹部、２７は吸盤、２８〜３０はアジャスター、３１は支持部、３２は凹部、３５は支持部、４１は支持部、４２は連結部、４３は切欠溝、４４は支持部、４５は連結部、４６は切欠溝、４７はガイド溝、５１は床面、５２は壁面、Ｚは椅子である。
【図１】
0003626912.tif 000002
【図２】
0003626912.tif 000003
【図３】
0003626912.tif 000004
【図４】
0003626912.tif 000005
【図５】
0003626912.tif 000006